(57)【要約】【課題】携帯端末装置のアラーム機能に家庭用電器製品の作業完了を通知する家庭用電器製品報知システム、携帯端末装置、家庭用電器製品および作業完了通知方法を提供する。【解決手段】家庭用電器製品と、家庭用電器製品と無線通信可能な携帯端末装置1000とを含む家庭用電器製品報知システムであって、家庭用電器製品は、アラームを通知する機器を特定する機器種別情報、および機器種別情報に対応する作業完了情報を無線により送信し、携帯端末装置1000は、家庭用電器製品から送信された作業完了情報を受信し、作業完了情報に基づいてアラーム時間を設定し、アラーム時間に基づいて発光、振動または発音によりアラームを通知する家庭用電器製品報知システムを提供する。【選択図】図１
2008301063.tif 000002
【特許請求の範囲】
【請求項１】
家庭用電器製品の作業完了を携帯端末装置により通知する作業完了通知方法であって、
前記家庭用電器製品が、機器種別情報、および前記機器種別情報に対応する作業完了情報を無線により送信するステップと、
前記携帯端末装置が、前記家庭用電器製品から送信された前記作業完了情報を受信し、前記作業完了情報に基づいてアラーム時間を設定するステップと、
前記携帯端末装置が、前記アラーム時間に基づいて発光、振動または発音によりアラームを通知するステップと、を有する作業完了通知方法。
【請求項２】
家庭用電器製品と、前記家庭用電器製品と無線通信可能な携帯端末装置とを含む家庭用電器製品報知システムであって、
前記家庭用電器製品は、機器種別情報、および前記機器種別情報に対応する作業完了情報を無線により送信し、
前記携帯端末装置は、前記家庭用電器製品から送信された前記作業完了情報を受信し、前記作業完了情報に基づいてアラーム時間を設定し、前記アラーム時間に基づいて発光、振動または発音によりアラームを通知する家庭用電器製品報知システム。
【請求項３】
家庭用電器製品と無線通信可能な携帯端末装置であって、
前記家庭用電器製品から送信された作業完了情報を受信する無線装置と、
前記作業完了情報に基づいてアラーム時刻を算出するアラーム時刻算出装置と、
前記アラーム時刻に基づいてアラームの発生を制御するアラーム制御装置と、を具備する携帯端末装置。
【請求項４】
請求項３記載の携帯端末装置であって、
前記アラーム時刻算出装置は、作業時間をカウントするタイマーを具備する携帯端末装置。
【請求項５】
請求項３記載の携帯端末装置であって、
前記アラーム制御装置の制御に応じて、発光、振動または発音によるアラームを生成する発光装置、振動装置または発音装置を具備する携帯端末装置。
【請求項６】
請求項３記載の携帯端末装置であって、
前記無線装置は、前記家庭用電器製品を特定する機器識別情報を受信する携帯端末装置。
【請求項７】
請求項６記載の携帯端末装置であって、
前記無線装置は、前記機器識別情報に対応する作業完了時刻を含む情報を受信する携帯端末装置。
【請求項８】
請求項５記載の携帯端末装置であって、
前記発光装置の発光パターン、前記発音装置の発音パターンおよび前記振動装置の振動パターンを格納する格納装置を具備し、
前記アラーム制御装置は、前記機器識別情報に基づいて、前記発光パターン、前記発音パターンおよび前記振動パターンの切り替えを制御する携帯端末装置。
【請求項９】
請求項８記載の携帯端末装置であって、
前記格納装置は、前記機器種別情報および前記作業完了時刻情報を格納するデータテーブルを具備する携帯端末装置。
【請求項１０】
請求項５記載の携帯端末装置であって、
前記発音装置の発生音の周波数特性を制御する周波数制御装置を具備する携帯端末装置。
【請求項１１】
携帯端末装置と無線通信可能な家庭用電器製品であって、
作業時間をカウントし、タイマー満了信号を生成するタイマーと、
前記タイマー満了信号に基づいて、作業開始情報および作業完了情報を無線により前記携帯端末装置に送信する無線装置と、を具備する家庭用電器製品。
【請求項１２】
請求項１１記載の家庭用電器製品であって、
前記無線装置は、機器識別情報を送信する家庭用電器製品。
【請求項１３】
請求項１２記載の家庭用電器製品であって、
前記無線装置は、前記機器識別情報に対応する作業完了時間を含む情報を送信する家庭用電器製品。
【発明の詳細な説明】
【技術分野】
【０００１】
本発明は、家庭用電器製品報知システム、携帯端末装置、家庭用電器製品および作業完了通知方法に関し、特に、作業完了情報を無線で送信可能な家庭用電器製品と、アラームを光、音、振動により通知可能で、無線機能を介してアラーム時間設定を外部から設定可能な携帯端末装置に関するものである。
【背景技術】
【０００２】
従来の家庭用電器製品において、作業完了を通知する仕組みを、図８を用いて説明する。
【０００３】
図８は従来の家庭用電器製品の構成を示す。同図において、2000は家庭用電器製品、2011は家庭用電器製品の作業完了を通知する発光装置、2012は家庭用電器製品の作業完了を通知する発音装置、2031は家庭用電器製品の作業完了時間の算出や、作業完了時に発光装置2011、発音装置2012を動作させる信号を通知する制御装置、2041は作業時間をカウントし、制御装置2031に作業時間の満了を通知するタイマー、2051は家庭用電器製品への入力装置、2131はタイマー設定信号、2111は機器動作信号、2141はタイマー満了信号、2151は入力信号である。
【０００４】
家庭用電器製品2000に対して入力装置2051からの入力により作業が開始されると、入力装置2051から制御装置2031に作業開始信号が通知され、制御装置2031は作業完了時間を算出し、タイマー2041にタイマー設定を行う。タイマー2041の設定時間が満了すると、タイマー2041から制御装置2031にタイマーの満了が通知される。制御装置2031は、発光装置2011、発音装置2012に対して機器動作信号2111を通知し、発音や発光をさせることによって、作業が完了したことをユーザに通知する。
【０００５】
最近では、家庭用電器製品2000を台所などに設置されたコントローラに接続し、そのコントローラ及び接続された各家庭用電器製品のモニタを使用して、家庭用電器製品の状態を把握しようとするものもある（例えば、特許文献１，２参照）。
【０００６】
【特許文献１】特開２００５−３４２０７９号公報（第１３頁、第２図）
【特許文献２】特開２００４−２８６６１２号公報（第８項、第１図）
【発明の開示】
【発明が解決しようとする課題】
【０００７】
しかしながら、上記従来の方法では、音が聞こえない環境にある場合、家庭用電器製品の作業完了通知を察知することができない。また、モニタや発光による確認の場合、絶えず家庭用電器製品を視認する必要があり、また視認できる場所に移動する必要がある。
【０００８】
例えば、全自動洗濯機では洗濯開始ボタンを押すと洗濯物の重さに基づいて洗濯完了までの時間を算出するが、利用者が洗濯完了時間を知るには、洗濯機本体のモニタに時間が表示されるまで待つ必要がある。また、洗濯機から離れた部屋で掃除機を使用した場合など、洗濯機本体からの洗濯終了音が聞こえない環境にあることがあり、洗濯機本体の発光による洗濯終了も察知することができない。
【０００９】
本発明はかかる課題に鑑み、家庭用電器製品と無線通信が可能な携帯端末装置に作業完了情報を通知し、携帯端末装置が具備する光、音、振動にて通知できるアラーム機能に対し、作業完了時間をアラームとして設定することで、家庭用電器製品の作業完了を察知させることができる家庭用電器製品報知システム、携帯端末装置、家庭用電器製品および作業完了通知方法を提供することを目的としている。
【課題を解決するための手段】
【００１０】
本発明に係る家庭用電器製品は、無線通信手段と、作業完了情報を無線通信装置にて通知する手段を備え、一方、携帯端末装置は、アラーム手段と、アラームの通知を発光、発音、振動により行う手段を備え、家庭用電器製品との無線通信手段と、受信した作業完了情報から作業完了時刻を算出し、アラームに設定する手段を備える。
【００１１】
これによれば、音が聞こえない環境であっても、携帯端末装置のアラーム通知により、家庭用電器製品の作業完了を察知することができ、また、固定されたモニタや発光を絶えず確認する必要がなくなる。
【００１２】
また、本発明は、家庭用電器製品の作業完了を携帯端末装置により通知する作業完了通知方法であって、前記家庭用電器製品が、機器種別情報、および前記機器種別情報に対応する作業完了情報を無線により送信するステップと、前記携帯端末装置が、前記家庭用電器製品から送信された前記作業完了情報を受信し、前記作業完了情報に基づいてアラーム時間を設定するステップと、前記携帯端末装置が、前記アラーム時間に基づいて発光、振動または発音によりアラームを通知するステップと、を有する作業完了通知方法である。ここで、機器種別情報とは、家庭用電器製品の種別を特定する情報である。
【００１３】
これによれば、家庭用電器製品と無線通信が可能な携帯端末装置に作業完了情報を通知し、携帯端末装置が具備するアラーム機能にアラーム時間を設定することで、家庭用電器製品の作業完了を察知させることができる。
【００１４】
また、本発明は、家庭用電器製品と、前記家庭用電器製品と無線通信可能な携帯端末装置とを含む家庭用電器製品報知システムであって、前記家庭用電器製品は、機器種別情報、および前記機器種別情報に対応する作業完了情報を無線により送信し、前記携帯端末装置は、前記家庭用電器製品から送信された前記作業完了情報を受信し、前記作業完了情報に基づいてアラーム時間を設定し、前記アラーム時間に基づいて発光、振動または発音によりアラームを通知する家庭用電器製品報知システムである。
【００１５】
これによれば、音が聞こえない環境であっても、携帯端末装置のアラーム通知により、家庭用電器製品の作業完了を察知することができ、また、固定されたモニタや発光を絶えず確認する必要がなくなる。
【００１６】
また、本発明は、家庭用電器製品と無線通信可能な携帯端末装置であって、前記家庭用電器製品から送信された作業完了情報を受信する無線装置と、前記作業完了情報に基づいてアラーム時刻を算出するアラーム時刻算出装置と、前記アラーム時刻に基づいてアラームの発生を制御するアラーム制御装置と、を具備する携帯端末装置である。
【００１７】
これによれば、作業完了情報に基づいてアラーム時刻を算出するので、使用している家庭用電器製品から離れた部屋にいる場合でも家庭用電器製品の作業完了を通知することができる。
【００１８】
また、本発明の携帯端末装置において、前記アラーム時刻算出装置は、作業時間をカウントするタイマーを具備する。
【００１９】
これによれば、作業時間をカウントするタイマーを具備するので、作業完了情報に基づいてアラーム時刻を算出することができる。
【００２０】
また、本発明の携帯端末装置は、前記アラーム制御装置の制御に応じて、発光、振動または発音によるアラームを生成する発光装置、振動装置または発音装置を具備する。
【００２１】
これによれば、使用している家庭用電器製品から離れた部屋にいる場合でも、携帯端末装置の発光、振動または発音によりアラームを通知することができる。
【００２２】
また、本発明の携帯端末装置において、前記無線装置は、前記家庭用電器製品を特定する機器識別情報を受信する。
【００２３】
これによれば、家庭用電器製品が複数ある場合でも、作業が完了した家庭用電器製品を容易に識別することができる。
【００２４】
また、本発明の携帯端末装置において、前記無線装置は、前記機器識別情報に対応する作業完了時刻を含む情報を受信する。
【００２５】
これによれば、機器識別情報に対応する作業完了時刻を含む情報を受信するので、使用している家庭用電器製品から離れた部屋にいる場合でも、作業完了時刻を知ることができる。
【００２６】
また、本発明の携帯端末装置は、前記発光装置の発光パターン、前記発音装置の発音パターンおよび前記振動装置の振動パターンを格納する格納装置を具備し、前記アラーム制御装置は、前記機器識別情報に基づいて、前記発光パターン、前記発音パターンおよび前記振動パターンの切り替えを制御する。
【００２７】
これによれば、機器識別情報に基づいて発光パターン、発音パターンおよび振動パターンを切り替えるので、アラームを通知する家庭用電器製品を容易に識別することができる。
【００２８】
また、本発明の携帯端末装置において、前記格納装置は、前記機器種別情報および前記作業完了時刻情報を格納するデータテーブルを具備する。
【００２９】
これによれば、機器種別情報および作業完了時刻情報を格納するデータテーブルを具備するので、複数の家庭用電器製品に対する作業完了の通知処理を容易に行うことができる。
【００３０】
また、本発明の携帯端末装置は、前記発音装置の発生音の周波数特性を制御する周波数制御装置を具備する。
【００３１】
これによれば、発音装置の発生音の周波数特性を制御するので、家庭用電器製品を容易に識別することができる。
【００３２】
また、本発明は、携帯端末装置と無線通信可能な家庭用電器製品であって、作業時間をカウントし、タイマー満了信号を生成するタイマーと、前記タイマー満了信号に基づいて、作業開始情報および作業完了情報を無線により前記携帯端末装置に送信する無線装置と、を具備する家庭用電器製品である。
【００３３】
これによれば、音が聞こえない環境であっても、携帯端末装置のアラーム通知により、家庭用電器製品の作業完了を察知することができ、また、固定されたモニタや発光を絶えず確認する必要がなくなる。
【００３４】
また、本発明の家庭用電器製品において、前記無線装置は、機器識別情報を送信する。
【００３５】
これによれば、家庭用電器製品が複数ある場合でも、作業が完了した家庭用電器製品を容易に識別することができる。
【００３６】
また、本発明の家庭用電器製品において、前記無線装置は、前記機器識別情報に対応する作業完了時間を含む情報を送信する。
【００３７】
これによれば、機器識別情報に対応する作業完了時間を含む情報を受信するので、使用している家庭用電器製品から離れた部屋にいる場合でも、作業完了時間を知ることができる。
【発明の効果】
【００３８】
以上説明したように、本発明にかかる家庭用電器製品報知システム、携帯端末装置、家庭用電器製品および作業完了通知方法によれば、音が聞こえない環境であっても、携帯端末装置のアラーム通知により、家庭用電器製品の作業完了を察知することができ、また、固定されたモニタや発光を絶えず確認する必要がなくなる効果が得られる。
【発明を実施するための最良の形態】
【００３９】
以下、本発明の実施形態について、図１−図７を用いて説明する。図１、図２は本発明の実施形態における携帯端末装置および家庭用電器製品の構成を示す。
【００４０】
図１において、1000は携帯端末、1011はアラームを通知する発光装置、1012はアラームを通知する発音装置、1013はアラームを通知する振動装置、1021はアラーム時刻をカウントし、アラーム時刻が満了すると、アラームを通知する発光装置1011、発音装置1012、振動装置1013に信号を通知し、あるいは、アラームの動作パターン情報に基づいた制御信号を通知し、あるいは、周波数特性のパターン情報に基づいた発音制御信号を通知することにより、アラームの発生を制御するアラーム制御装置、1031は無線を介して受信した作業完了情報からアラーム制御装置1021に設定するアラーム時刻を算出するアラーム時刻算出装置、1041は外部と無線通信を行う無線装置、1051はアラーム音の周波数特性を制御する周波数制御装置、1061は発光、発音、振動の動作パターン情報を格納する格納装置、1121は機器動作信号、1131はアラーム設定信号（アラーム時刻及び付随する情報）で、1141は作業完了情報、1151は周波数特性パターン情報、1161は動作パターン情報である。
【００４１】
図２において、2000は家庭用電器製品、2011は家庭用電器製品の作業完了を通知する発光装置、2012は家庭用電器製品の作業完了を通知する発音装置、2021は外部と無線通信を行う無線装置、2031は家庭用電器製品の作業完了時間の算出や、作業完了時に発光装置2011、発音装置2012を動作させる信号を通知する制御装置、2041は作業時間をカウントし、制御装置2031に作業時間の満了を通知するタイマー、2051は家庭用電器製品への入力装置、2133は無線を介して送信する作業開始情報、及び作業完了時間や付随する情報または作業の完了を含む作業完了情報、2131はタイマー設定信号、2132は機器動作信号、2141はタイマー満了信号、2151は入力信号である。
【００４２】
図３において、3000はアラーム制御装置1021内に保持されるアラーム時刻データのテーブルを示し、3001は機器種別情報、3011は機器種別情報3001の機器の作業完了時刻情報である。
【００４３】
図４において、4000はアラーム設定信号1131にて通知するアラーム設定情報の一形式を示し、4001は機器種別情報、4011は機器種別情報4001で示す機器の作業完了時刻情報である。
【００４４】
図５において、5000は家庭用電器製品2000の作業完了情報2133や携帯端末1000の作業完了情報1141で通知される作業完了までの時間情報の一形式を示し、5001は機器種別情報、5011は機器種別情報5001で示す機器の作業完了情報である。
【００４５】
図６において、6000は家庭用電器製品2000の作業完了情報2133や携帯端末1000の作業完了情報1141で通知される作業開始情報、または、作業完了情報の一形式を示す。
【００４６】
次に、家庭用電器製品の作業完了をユーザに報知できる家庭用電器製品と携帯端末について具体的に説明する。
【００４７】
（実施例１）
家庭用電器製品2000に入力装置2051に対する入力により作業が開始されると、入力信号2151にて制御装置2031に作業開始2151が通知される。制御装置2031は、作業完了時間を算出し、タイマー2041にタイマー設定を行う。制御装置2031にて算出した作業完了時間は、無線装置2021によって、携帯端末1000に無線により送信される。
【００４８】
携帯端末1000では、無線装置1041にて家庭用電器製品2000から通知された作業完了時間を受信すると、時刻算出装置1031に通知する。時刻算出装置1031は、作業完了時間1141を現在の時刻に加算し作業完了時刻情報を作成し、アラーム設定情報1131としてアラーム制御装置1021に通知する。アラーム制御装置1021は、通知されたアラーム設定情報1131を列3011のデータテーブル（図３参照）に格納し、タイマーの設定を行う。列3011に格納された一つ、または複数の時刻情報が満了すると、アラーム制御装置1021は、機器動作信号1121によって発光装置1011、発音装置1012、振動装置1013を動作させる。これよって、家庭用電器製品2000から離れた場所にいるユーザに、家庭用電器製品2000の作業終了時間を察知させることができる。
【００４９】
（実施例２）
実施例２の携帯端末装置1000では、実施例１記載の携帯端末装置において、無線装置1041にて家庭用電器製品2000から受信した作業完了時間情報5000を時刻算出装置1031に通知する。時刻算出装置1031では、作業完了時間1141を現在の時刻に加算し完了時刻情報4000（図４参照）を作成し、アラーム設定信号1131としてアラーム制御装置1021に通知する。アラーム制御装置1021は、機器種別情報4001をデータテーブル3000の列3001に格納し、作業完了時刻4011をデータテーブル3000の列3011に格納する。アラーム制御装置1021は、データテーブル3000に格納された一つ、または複数の時刻情報が満了すると、発光装置1011、発音装置1012、振動装置1013を動作させることによって、家庭用電器製品2000から離れた場所にいるユーザに、家庭用電器製品2000の作業終了時間を察知させることができる。
【００５０】
（実施例３）
実施例３の携帯端末装置1000では、実施例２記載の携帯端末装置において、無線装置1041にて家庭用電器製品2000から受信した作業完了情報6000を時刻算出装置1031に通知する。時刻算出装置1031では、作業完了情報1141の場合、現在の時刻に近い値を現在の時刻に加算し完了時刻情報4000を作成し、アラーム設定信号1131としてアラーム制御装置1021に通知する。
【００５１】
（実施例４）
実施例４の携帯端末装置1000では、実施例２記載の携帯端末装置において、タイマー満了の外部への通知方法として、発光装置1011、発音装置1012、振動装置1013を動作させることによって、家庭用電器製品2000の作業終了時間を察知させることができる。
【００５２】
（実施例５）
実施例５の家庭用電器製品2000では、入力装置2051から作業開始信号が制御装置2031に通知されると、制御装置2031にて作業開始情報7011を作業開始情報7000として、無線装置2021にて携帯端末1000に対し無線により送信する。
【００５３】
また、タイマー満了通知2141が制御装置2031に通知されると作業完了情報6011を作業完了情報6000として、無線装置2021にて携帯端末1000に対し無線により送信する。
【００５４】
（実施例６）
実施例６の家庭用電器製品2000では、実施例５記載の家庭用電器製品において、家庭用電器製品2000にて、入力装置2051から作業開始信号が制御装置2031に通知されると、制御装置2031にて算出した作業完了時間を作業完了情報5000として、無線装置2021にて携帯端末1000に対し無線により送信する。
【００５５】
（実施例７）
実施例６の家庭用電器製品2000では、実施例５記載の家庭用電器製品において、制御装置2031にて作業完了情報5000、及び、作業完了情報6000、及び、作業開始情報7000として、各々、機器種別情報5001、6001、7001を付加し、無線装置2021にて携帯端末1000に対し無線により送信する。
【００５６】
（実施例８）
実施例８の携帯端末装置1000では、実施例４記載の携帯端末装置において、アラーム制御装置1021にて、データテーブル3000に格納された一つ、または複数の時刻情報が満了すると、該当する列3001の機器種別情報を基に、パターンデータ1061を読み出し、読み出したパターンデータを基に機器動作信号1121を制御し、発光装置1011、発音装置1012、振動装置1013の動作を制御する。
【００５７】
（実施例９）
実施例９の携帯端末装置1000では、入力装置から周波数設定信号が周波数制御装置1051に通知されると、周波数制御装置1051は周波数特性パターン情報1151をアラーム制御装置1021に通知する。アラーム制御装置1021では発音装置1012を制御する信号1121を周波数特性パターン情報1151の特性により制御することで、発音装置1012で発音される音の周波数を制御する。
【００５８】
以上説明したように、本実施形態にかかる携帯端末装置1000および家庭用電器製品2000によれば、家庭用電器製品2000が発する音が聞こえない環境であっても、携帯端末装置1000のアラーム通知により、家庭用電器製品2000の作業完了を察知することができ、また、固定されたモニタや発光を絶えず確認する必要がなくなる効果が得られる。
【産業上の利用可能性】
【００５９】
本発明は、作業完了情報を無線で送信可能な家庭用電器製品と、アラームを光、音、振動により通知可能で、無線機能を介してアラーム時間設定を外部から設定可能な携帯端末装置として利用可能である。
【図面の簡単な説明】
【００６０】
【図１】本発明の実施形態にかかるアラームを通知する携帯機器の構成図
【図２】本発明の実施形態にかかる家庭用電器製品の構成図
【図３】本発明の実施形態にかかるデータ格納装置内のデータテーブルを示す図
【図４】本発明の実施形態にかかるアラーム設定情報の構成図
【図５】本発明の実施形態にかかる作業完了情報の構成図
【図６】本発明の実施形態にかかる作業完了情報の構成図
【図７】本発明の実施形態にかかる作業開始情報の構成図
【図８】従来の家電用電器製品の構成図
【符号の説明】
【００６１】
1000  携帯端末
1011，2011  発光装置
1012，2012  発音装置
1013  振動装置
1021  アラーム制御装置
1031  アラーム時刻算出装置
1041，2021  無線装置
1051  周波数制御装置
1061  格納装置
1121，2132  機器動作信号
1131  アラーム設定信号
1141，2133  作業完了情報
1151  周波数特性パターン情報
1161  動作パターン情報
2000  家庭用電器製品
2031  制御装置
2041  タイマー
2051  入力装置
2131  タイマー設定信号
2141  タイマー満了信号
2151  入力信号
3000  アラーム時刻データ
3001，4001，5001，6001  機器種別情報
3011，4011  作業完了時刻情報
4000  アラーム設定情報
5000  作業完了までの時間情報
5011，6011  作業完了情報
6000  作業開始情報
【図１】
2008301063.tif 000003
【図２】
2008301063.tif 000004
【図３】
2008301063.tif 000005
【図４】
2008301063.tif 000006
【図５】
2008301063.tif 000007
【図６】
2008301063.tif 000008
【図７】
2008301063.tif 000009
【図８】
2008301063.tif 000010